(57)【要約】  この発明の実施例に従うと、電圧調整モジュール電源は、修正された電圧識別を電圧調整モジュール電源に与えることによって制御され得る。修正された電圧識別は、たとえば、マージニングおよび／またはトリミング技術を電圧調整モジュール電源に適用するために利用されてもよい。
2007516530.tif 000002
【特許請求の範囲】
【請求項１】
システムであって、
第１のデジタルコードを受取り、前記第１のデジタルコードによって決定される電圧レベルを有する電源電圧を与えるように適合される電圧調整モジュール電源と、
前記電源電圧を受取り、電圧識別を与えるように適合される負荷と、
前記電圧識別および制御信号を受取り、前記第１のデジタルコードを前記電圧調整モジュール電源に与えるように適合される回路とを含み、前記第１のデジタルコードの値は前記制御信号によって決定される、システム。
【請求項２】
前記回路は加算器をさらに含み、前記制御信号は、第１の値が前記電圧識別と合計され、前記第１のデジタルコードとして与えられるかどうかを決定する、請求項１に記載のシステム。
【請求項３】
前記回路は、前記電圧識別、前記電圧識別に基づく前記電圧識別の修正されたバージョン、または第２の電圧識別を、前記制御信号によって決定される前記第１のデジタルコードとして与える、請求項１に記載のシステム。
【請求項４】
前記回路は前記システムにマージニングおよび／またはトリミング機能を与える、請求項１に記載のシステム。
【請求項５】
前記回路は、
前記電圧識別および前記制御信号を受取るように適合される制御インターフェイスと、
マージン値およびトリム値を格納するように適合されるレジスタと、
前記電圧識別を、前記レジスタのうちの１つから受取られた値と合計するように適合される加算器と、
前記電圧識別と前記加算器からの結果とから選択して、前記第１のデジタルコードとして前記電圧調整モジュール電源に与えるように適合される第１のマルチプレクサとを含む、請求項１に記載のシステム。
【請求項６】
前記第１のマルチプレクサは、前記制御インターフェイスによって与えられる第２の電圧識別を選択して、前記第１のデジタルコードとして前記電圧調整モジュール電源に与えるようにさらに適合される、請求項５に記載のシステム。
【請求項７】
前記制御インターフェイスは、マイクロプロセッサインターフェイスおよび／またはデジタル制御ピンを含む、請求項５に記載のシステム。
【請求項８】
前記制御インターフェイスは前記レジスタに格納するために１つ以上の値を与える、請求項５に記載のシステム。
【請求項９】
前記回路は前記電圧調整モジュール電源または前記負荷の一部として形成される、請求項１に記載のシステム。
【請求項１０】
前記制御信号は目標値を与え、前記回路は、前記目標値を前記電源電圧の値と比較し、前記比較に基づいて前記第１のデジタルコードの値を調整するように適合される、請求項１に記載のシステム。
【請求項１１】
電圧調整モジュール電源システムであって、
第１の電圧識別を受取り、前記第１の電圧識別に基づいて電源電圧を与えるように適合される電圧調整モジュール電源と、
制御信号を受取り、前記第１の電圧識別を前記電圧調整モジュール電源に与えるように適合される制御回路とを含み、前記第１の電圧識別の値は前記制御信号によって決定される、電圧調整モジュール電源システム。
【請求項１２】
前記電圧調整モジュール電源は前記制御回路を組入れる、請求項１１に記載の電圧調整モジュール電源システム。
【請求項１３】
前記制御回路は、第２の電圧識別を負荷から受取り、前記第２の電圧識別または前記第２の電圧識別の修正されたバージョンを、前記第１の電圧識別として前記電圧調整モジュール電源に与えるようにさらに適合される、請求項１１に記載の電圧調整モジュール電源システム。
【請求項１４】
マージニングおよび／またはトリミング機能は前記制御信号を介して制御される、請求項１１に記載の電圧調整モジュール電源システム。
【請求項１５】
前記制御回路は、マージン値および／またはトリム値を格納するように適合される少なくとも１つのレジスタをさらに含み、前記第１の電圧識別の前記値は前記マージン値または前記トリム値に基づく、請求項１１に記載の電圧調整モジュール電源システム。
【請求項１６】
前記制御回路は目標値を格納するように適合される少なくとも１つのレジスタをさらに含み、前記第１の電圧識別の前記値は前記目標値に基づく、請求項１１に記載の電圧調整モジュール電源システム。
【請求項１７】
電圧調整モジュール電源からの電源電圧の電圧レベルを制御する方法であって、
負荷によって与えられ、前記電圧調整モジュール電源からの前記電源電圧の前記電圧レベルを設定するように意図される第１の電圧識別を遮るステップと、
所望であれば前記第１の電圧識別の値を修正するステップと、
前記電圧調整モジュール電源の前記電源電圧の前記電圧レベルを設定するために前記第１の電圧識別を与えるステップとを含む、方法。
【請求項１８】
前記修正するステップにおける前記第１の電圧識別の前記値は、マージン値またはトリム値に対応する、請求項１７に記載の方法。
【請求項１９】
第２の電圧識別を生成するステップと、
前記電圧調整モジュール電源のための前記電源電圧の前記電圧レベルを設定するために、前記第１の電圧識別ではなく前記第２の電圧識別を与えるステップとをさらに含む、請求項１７に記載の方法。
【請求項２０】
前記遮るステップ、前記修正するステップ、および前記与えるステップは、前記電圧調整モジュール電源内で発生する、請求項１７に記載の方法。
【発明の詳細な説明】
【技術分野】
【０００１】
技術分野
この発明は概して電気回路に関し、より特定的には電源に関する。
【背景技術】
【０００２】
背景
電源は周知であり、１つ以上の電源電圧を電気装置に与えるために概して利用される。いくつかの用途では、電源電圧を調整できることが有利であろう。
【０００３】
たとえば、マージニングと通常称される１つの技術は、電源の電源電圧をシステム（たとえば、電源および電源によって供給される電気装置）の動作範囲の上限および／または下限まで調整する。マージニングは典型的には、システムの整合性および信頼性を検証するために利用される。トリミングと通常称される別の技術は、電源電圧を測定することと、たとえば電源におけるエラーもしくは電力を負荷に送ることに関連する損失（たとえば、線路損失）を補償するために、電源電圧を上げるまたは下げるように調整することとを伴う。
【０００４】
電源の１つのタイプまたはクラスは、電圧調整モジュール（ＶＲＭ）電源またはＶＲＭ型電源と称されることができる。たとえば、例示的なＶＲＭ電源システム１００は、図１に示されるように、電力１０８（負荷電力と表示される）を負荷１０４（たとえば、集積回路または任意のタイプの電気装置）に供給する。負荷１０４に供給された電力１０８に関連する電圧レベルは、負荷１０４によってＶＲＭ電源１０２（ＶＲＭと表示される）に与えられるデジタルコード１１０（電圧識別、電圧ＩＤ、またはＶＩＤと称される）に基づく。デジタルコード１１０（ＶＩＤと表示される）は、適切に動作するように負荷１０４によって要求される電圧レベルに関して情報をＶＲＭ電源１０２に与える。
【発明の開示】
【発明が解決しようとする課題】
【０００５】
従来のＶＲＭ電源システムの１つの欠点は、ＶＲＭ電源によって与えられる電圧レベルが負荷によって与えられるデジタルコードによってのみ制御されることである。その結果、たとえばシステムの損失もしくは他の特徴を調べるためまたは説明するためなどに、（たとえばマージニングまたはトリミングを介して）ＶＲＭ電源によって与えられる電圧レベルを調整する方法が概して存在しない。結果として、ＶＲＭ電源システムのための改良された技術が必要である。
【課題を解決するための手段】
【０００６】
概要
電源を制御するためのシステムおよび方法が本明細書に開示される。たとえば、この発明の実施例に従って、ＶＲＭ電源は、負荷によって与えられるデジタルコードと比較して、修正されたデジタルコードをＶＲＭ電源に与えることによって制御される。修正されたデジタルコードは、たとえば、ＶＲＭ電源によって与えられる電圧レベルにマージニングおよび／またはトリミング技術を与えるために利用され得る。
【０００７】
より具体的には、この発明の１つの実施例に従って、システムは、第１のデジタルコードを受取り、第１のデジタルコードによって決定される電圧レベルを有する電源電圧を与えるように適合される電圧調整モジュール電源と、電源電圧を受取り、電圧識別を与えるように適合される負荷と、電圧識別および制御信号を受取り、第１のデジタルコードを電
圧調整モジュール電源に与えるように適合される回路とを含み、第１のデジタルコードの値は制御信号によって決定される。
【０００８】
この発明の別の実施例に従って、電圧調整モジュール電源システムは、第１の電圧識別を受取り、第１の電圧識別に基づいて電源電圧を与えるように適合される電圧調整モジュール電源と、制御信号を受取り、第１の電圧識別を電圧調整モジュール電源に与えるように適合される制御回路とを含み、第１の電圧識別の値は制御信号によって決定される。
【０００９】
この発明の別の実施例に従って、電圧調整モジュール電源からの電源電圧の電圧レベルを制御する方法は、負荷によって与えられ、電圧調整モジュール電源からの電源電圧の電圧レベルを設定するように意図される第１の電圧識別を遮るステップと、所望であれば第１の電圧識別の値を修正するステップと、電圧調整モジュール電源の電源電圧の電圧レベルを設定するために第１の電圧識別を与えるステップとを含む。
【００１０】
この発明の範囲は特許請求の範囲によって規定され、特許請求の範囲はこの部分に引用によって援用される。この発明の実施例のより完全な理解は、そのさらなる利点の実現と同様に、１つ以上の実施例の以下の詳細な説明を考慮することによって当業者にもたらされる。添付の図面が参照され、図面は最初に簡単に説明される。
【発明を実施するための最良の形態】
【００１１】
この発明の実施例およびその利点は、以下の詳細な説明を参照することによって最もよく理解される。同一の参照番号は１つ以上の図面に示される同一の要素を識別するために使用されることが認識されるべきである。
【００１２】
詳細な説明
図２は、この発明の実施例に従う電圧調整モジュール（ＶＲＭ）電源システム２００を示すブロック図である。ＶＲＭ電源システム２００は、ＶＲＭ電源１０２、負荷１０４、およびブロック２０２を含む。ＶＲＭ電源１０２は従来型のＶＲＭ電源の典型であってもよく、負荷１０４はデジタルコード１１０を与え得る任意のタイプの従来型の電気装置（たとえば、集積回路）の典型であってもよい。
【００１３】
ブロック２０２は、（たとえば、主電源を介して）電力供給１０６、デジタルコード１１０、および制御信号２０６を受取り、デジタルコード２０４をＶＲＭ電源１０２に与える。ブロック２０２は制御信号２０６の制御下でデジタルコード２０４を与え、デジタルコード２０４はデジタルコード１１０の修正されたバージョンであり得る。その結果、ブロック２０２は、デジタルコード１１０を遮り、修正して、デジタルコード２０４をＶＲＭ電源システム２００内のＶＲＭ電源１０２に与えるために利用され得る。一例として、ブロック２０２は、ＶＲＭ電源１０２が、デジタルコード１１０を介して負荷１０４によって要求される電圧レベル以外の電圧レベルに強制的になるように制御されてもよい。ブロック２０２は、たとえば、ＶＲＭ電源システム（ＶＲＭ電源システム２００で示されるものなど）にマージニングおよび／またはトリミング機能を加えるために含まれ、利用されてもよい。
【００１４】
概して、ブロック２０２は負荷１０４からデジタルコード１１０を受取り、デジタルコード２０４をＶＲＭ電源１０２に与え、デジタルコード２０４はデジタルコード１１０の修正されたバージョンであり得る。デジタルコード１１０は、ＶＲＭ電源１０２またはＶＲＭ電源システム２００の特定の用途または特定される要求に基づいて所望であるように修正されてもよい。記載されるように、デジタルコード１１０は、さらに、ＶＲＭ電源１０２に命令を与えて、トリミングおよび／またはマージニングに適用可能な電圧レベルを与えるように修正され、デジタルコード２０４として与えられてもよい。
【００１５】
代替的には、ブロック２０２は、さらに、たとえばこの発明の実施例に従って、必ずしもデジタルコード１１０を受取ることなくデジタルコード２０４を生成するように、ＶＲＭ電源システム（ＶＲＭ電源システム２００など）において実現されてもよい。たとえば、負荷１０４がデジタルコード１１０を与えることができない場合（たとえば、負荷１０４がデジタルコード１１０を与えるように設計されない、またはデジタルコード１１０を与える機能が使用不可にされている場合）、ブロック２０２はデジタルコード２０４の所望の値をＶＲＭ電源１０２に与えるように制御されてもよい。したがって、ブロック２０２は、たとえ負荷がデジタルコード（たとえば、デジタルコード１１０）を与えることができないとしてもＶＲＭ電源を求めるシステムにおいて実現され得る。
【００１６】
図３は回路３００を示し、回路３００はこの発明の実施例に従うＶＲＭ電源システム２００のブロック２０２のための例示的な実現例である。回路３００は、制御インターフェイス３０２、１つ以上のレジスタ３１２、マルチプレクサ３１４および３１８、ならびに加算器３１６を含む。
【００１７】
制御インターフェイス３０２は、１つ以上の制御信号３２０を（たとえば、シリアルマイクロプロセッサインターフェイスもしくはパラレルマイクロプロセッサインターフェイスおよび／もしくはデジタル制御ピンを含み得る入力端子またはピンから）受取り、制御信号３２０は制御信号２０６の例示的な実現例である。制御インターフェイス３０２は、さらに、（たとえば、負荷１０４によって与えられれば）デジタルコード１１０を受取ることができる。
【００１８】
制御インターフェイス３０２は、信号３０４（たとえば、マージン／トリム値設定信号）を介して、レジスタ３１２内の１つ以上のレジスタ値を設定してもよい。これらのレジスタ値は、たとえば、カウンタ、定数値（たとえば、０値）、マージン値（たとえば、マージニング動作中に利用されるマージンハイ値およびマージンロー値）、および１つ以上のトリム値（たとえば、トリミング動作中に利用される）を含み得る。
【００１９】
制御インターフェイス３０２は、信号３０６（たとえば、オフセット選択信号）を介してマルチプレクサ３１４を制御して、レジスタ３１２に格納された値を選択し、加算器３１６に与える。加算器３１６は、マルチプレクサ３１４によって与えられた（たとえば、Ｂ側に与えられた）値（たとえば、負または正の値）をデジタルコード１１０（たとえば、加算器３１６のＡ側に与えられる）に加算し、その結果をマルチプレクサ３１８に与える。制御インターフェイス３０２は、信号３１０（たとえば、バイパス／直接選択信号）を介してマルチプレクサ３１８を制御して、加算器３１６からの結果またはデジタルコード１１０の間で選択し、デジタルコード２０４として与える。
【００２０】
制御インターフェイス３０２は、さらに、信号３０８（たとえば、直接ＶＩＤ入力信号）をマルチプレクサ３１８に直接に与え得る。信号３０８は、制御インターフェイス３０２によって生成されるか、または（たとえば、マイクロプロセッサもしくは装置の論理回路からの）制御信号３２０を介して制御インターフェイスに与えられるデジタルコード２０４の所望の値を表わす。制御インターフェイス３０２は、次いで、信号３１０を介してマルチプレクサ３１８を制御することができて、加算器３１６からの結果、デジタルコード１１０、または信号３０８を回路３００のために選択し、デジタルコード２０４として与える。
【００２１】
図３に示されるように、加算器３１６はデジタルコード１１０を修正するために利用され得る。たとえば、デジタルコード１１０（つまり、ＶＩＤ）は、特定の電圧または電圧レベルに対応するデジタル数値を表わす。加算器３１６は、デジタルコード１１０に対す
るオフセット値（たとえば、負または正の値）を含むように利用されてもよく、デジタルコード１１０のこの修正されたバージョンはデジタルコード２０４としてＶＲＭ電源１０２に与えられる。たとえば、デジタルコード２０４の値は、デジタルコード１１０を介して負荷１０４によって要求される電圧レベルとは異なる所望の電圧レベルに対応してもよい。たとえば、デジタルコード２０４は所望のマージン電圧またはトリム電圧に対応してもよい。
【００２２】
ＶＲＭ電源システム２００（ブロック２０２のために組入れられる回路３００を有する）の例示的な動作の実現例として、電力供給１０６を加えると、回路３００は最初はデフォルトまたは初期状態で動作し、デジタルコード１１０は変更されずにデジタルコード２０４として通ることが可能である。たとえば、マルチプレクサ３１８はデジタルコード１１０を選択して通すように制御されてもよく、または加算器３１６は０値をデジタルコード１１０に加算してもよく、マルチプレクサ３１８は加算器３１６からの結果を選択して、デジタルコード２０４として与える。回路３００は、所望であるとき、次いで、デジタルワードを加算器３１６に与えて（たとえば、レジスタ３１２から値を選択して、加算器３１６のＢ側に与えて）、デジタルコード１１０と合計し、マルチプレクサ３１８を介してデジタルコード２０４として与えるように制御されることができる。
【００２３】
たとえば、回路３００は、回路３００内の予めプログラムされた値または動作のモードを選択するようにデジタル制御ピンを介して制御されてもよい。代替的に、またはデジタル制御ピンに加えて、回路３００は、マイクロプロセッサインターフェイス、またはレジスタ３１２のソフトウェア制御が所望の値を設定し、回路３００の動作を制御する（たとえば、与えられたモードおよび値または選択されたモードおよび値を制御する）ことを可能にする他のタイプの論理インターフェイスを含んでもよい。さらに、デジタルコード１１０は、マイクロプロセッサ（たとえば、マイクロコントローラ、論理回路、または論理装置の他のタイプ）によって直接にまたは制御インターフェイス３０２を介して（たとえば、ポートまたはマイクロプロセッサインターフェイスを介して）読取られてもよく、マイクロプロセッサは次いで所望の値を決定することができ、制御インターフェイス３０２（つまり、信号３０８）を介して直接に所望の値をデジタルコード２０４として与えることができるだろう。代替的には、マイクロプロセッサはデジタルコード１１０を読取ることはできないかも知れないが、デジタルコード２０４の所望の値を制御インターフェイス３０２に単に与え、制御インターフェイス３０２は次いで本明細書に記載されるようにデジタルコード２０４のこの値を設定する。
【００２４】
ブロック２０２はＶＲＭ電源システムのために図２に示されるように実現され得ることが理解されるべきである。代替的には、ブロック２０２は、ＶＲＭ電源に（たとえば、ＶＲＭ電源１０２に）組入れられてもよく、または負荷の中に（たとえば、負荷１０４の中に）設計されてもよく、その結果、ＶＲＭ電源によって与えられる電圧レベルは、ＶＲＭ電源または負荷にそれぞれに与えられる１つ以上の制御信号によって修正され得る。
【００２５】
さらに、制御インターフェイス３０２は単に回路３００の任意の構成要素であってもよく、または本明細書に記載される１つ以上の所望の機能を実行する態様で（たとえば、従来型の回路とともに）当業者によって実現されてもよい。一例として、制御インターフェイス３０２は回路３００から取除かれてもよく、信号３０４、３０６、３０８および／または３１０は制御信号３２０を介して（たとえば、マイクロコントローラによって）直接に与えられてもよい。
【００２６】
図４は回路４００を示し、回路４００はこの発明の実施例に従うＶＲＭ電源システム２００のブロック２０２のための例示的な実現例である。回路４００は回路３００（図３）に類似しており、したがって、同様の機能の説明は繰返されない。
【００２７】
回路４００は、回路３００に関して記載されるものに加えて、レジスタ４１０、制御回路４１２、およびアナログ−デジタル変換器（ＡＤＣ）４１４を含む。ＡＤＣ４１４は、電力１０８（つまり、ＶＲＭ負荷電力）に結合し、ＶＲＭ電源１０２を監視する。レジスタ４１０（レジスタ３１２と組合せられてもよい）は、たとえば、ＶＲＭ電源１０２が与えることをユーザが望むであろう所望の電圧に対応する値（たとえば、目標値）を格納し得る。レジスタ４１０によって格納される値は、信号４０４（たとえば、目標値の書込と表示される）を介して、制御インターフェイス４０２（図３の制御インターフェイス３０２と同様）によってまたは制御インターフェイス４０２を介して与えられることができる。
【００２８】
制御回路４１２は、ＡＤＣ４１４によって与えられる値を監視し、レジスタ４１０によって格納された値に基づいて、ＶＲＭ電源１０２によって与えられた電力１０８の値を変更するためにデジタルコード２０４を増加させるかまたは減少させるかを決定する。たとえば、制御回路４１２は信号４０６（アップ／ダウンカウントと表示される）を介して、レジスタ３１２に格納される値を変更することができ（たとえば、レジスタ３１２に格納されるカウンタ値を増やすまたは減らす）、その値はマルチプレクサ３１４によって選択され、加算器３１６によってデジタルコード１１０と合計され、その結果はマルチプレクサ３１８を介してデジタルコード２０４として与えられる。
【００２９】
たとえば、一般的な動作の点では、ユーザは閉ループフィードバック回路をもたらすために回路４００を利用できて、ＶＲＭ電源１０２の電力１０８がレジスタ４１０に保持される目標値と一致するようにデジタルコード２０４を調整する。たとえば、制御回路４１２は、ＡＤＣ４１４によって与えられる、電力１０８からのデジタル化された負荷電力信号を、レジスタ４１０に格納された目標値と比較するであろう。制御回路４１２は、その比較に基づいて、レジスタ３１２に格納されるカウンタ値を増やすかまたは減らしてもよく、ＶＲＭ電源１０２によって与えられる電圧レベルを変更するためにデジタルコード２０４の値を増加または減少させる。
【００３０】
代替的には、閉ループフィードバック回路は、ＡＤＣ４１４によって与えられる、電力１０８からのデジタル化された負荷電力信号を信号４０８（ＡＤＣ読取と表示される）を介して読取るように制御インターフェイス４０２および制御信号３２０（たとえば、マイクロプロセッサインターフェイス）を使用することによって形成されることができるだろう。ユーザ、マイクロプロセッサ、または論理装置の他のタイプは、次いで、ＶＲＭ電源１０２から所望の電圧レベルを得るために、（たとえば、回路３００のためにたとえば上述される制御信号３２０、制御インターフェイス４０２、および信号３０４、３０６、３０８および／または３１０を介して）デジタルコード２０４を調整するかどうか、およびデジタル信号２０４をどの方向に調整するかを決定することができるであろう。
【００３１】
上述の実施例はこの発明を記載するが、この発明を限定するものではない。さらに、多くの修正例および変形例がこの発明の原理に従って可能であることが理解されるべきである。したがって、この発明の範囲は特許請求の範囲によってのみ規定される。
【図面の簡単な説明】
【００３２】
【図１】従来の電圧調整モジュール電源システムを示すブロック図である。
【図２】この発明の実施例に従う電圧調整モジュール電源システムを示すブロック図である。
【図３】この発明の実施例に従う電圧調整モジュール電源システムの一部のための例示的な実現例を示す。
【図４】この発明の実施例に従う電圧調整モジュール電源システムの一部のための例示的な実現例を示す。
【図１】
2007516530.tif 000003
【図２】
2007516530.tif 000004
【図３】
2007516530.tif 000005
【図４】
2007516530.tif 000006
【手続補正書】
【提出日】平成18年6月15日(2006.6.15)
【手続補正１】
【補正対象書類名】特許請求の範囲
【補正対象項目名】全文
【補正方法】変更
【補正の内容】
【特許請求の範囲】
【請求項１】
システムであって、
第１のデジタルコードを受取り、前記第１のデジタルコードによって決定される電圧レベルを有する電源電圧を与えるように適合される電圧調整モジュール電源と、
前記電源電圧を受取り、電圧識別を与えるように適合される負荷と、
加算器を有し、前記電圧識別および制御信号を受取り、前記第１のデジタルコードを前記電圧調整モジュール電源に与えるように適合される回路とを含み、前記第１のデジタルコードの値は、第１の値が前記電圧識別と合計され、前記第１のデジタルコードとして与えられるかどうかを決定する前記制御信号によって決定される、システム。
【請求項２】
前記回路は、前記電圧識別、前記電圧識別に基づく前記電圧識別の修正されたバージョン、または第２の電圧識別を、前記制御信号によって決定される前記第１のデジタルコードとして与える、請求項１に記載のシステム。
【請求項３】
前記回路は前記システムにマージニングおよび／またはトリミング機能を与える、請求項１に記載のシステム。
【請求項４】
前記回路は、
前記電圧識別および前記制御信号を受取るように適合される制御インターフェイスと、
マージン値およびトリム値を格納するように適合されるレジスタとを含み、
前記加算器は前記電圧識別を、前記レジスタのうちの１つから受取られた値と合計するように適合され、前記回路は、さらに、
前記電圧識別と前記加算器からの結果とから選択して、前記第１のデジタルコードとして前記電圧調整モジュール電源に与えるように適合される第１のマルチプレクサを含む、請求項１に記載のシステム。
【請求項５】
前記第１のマルチプレクサは、前記制御インターフェイスによって与えられる第２の電圧識別を選択して、前記第１のデジタルコードとして前記電圧調整モジュール電源に与えるようにさらに適合される、請求項４に記載のシステム。
【請求項６】
前記制御インターフェイスは、マイクロプロセッサインターフェイスおよび／またはデジタル制御ピンを含む、請求項４に記載のシステム。
【請求項７】
前記制御インターフェイスは前記レジスタに格納するために１つ以上の値を与える、請求項４に記載のシステム。
【請求項８】
前記回路は前記電圧調整モジュール電源または前記負荷の一部として形成される、請求項１に記載のシステム。
【請求項９】
前記制御信号は目標値を与え、前記回路は、前記目標値を前記電源電圧の値と比較し、前記比較に基づいて前記第１のデジタルコードの値を調整するように適合される、請求項１に記載のシステム。
【請求項１０】
電圧調整モジュール電源システムであって、
第１の電圧識別を受取り、前記第１の電圧識別に基づいて電源電圧を与えるように適合される電圧調整モジュール電源と、
制御信号を受取り、前記第１の電圧識別を前記電圧調整モジュール電源に与えるように適合される制御回路とを含み、前記第１の電圧識別の値は前記制御信号によって決定され、前記制御回路は、
マージン値およびトリム値の少なくとも１つを格納するように適合されるレジスタと、
前記レジスタからの値を前記第１の電圧識別と合計して、修正された第１の電圧識別を与えるように適合される加算器と、
前記第１の電圧識別および前記修正された第１の電圧識別から選択して、前記第１の電圧識別として前記電圧調整モジュール電源に与えるように適合される第１のマルチプレクサとを含む、電圧調整モジュール電源システム。
【請求項１１】
前記電圧調整モジュール電源は前記制御回路を組入れる、請求項１０に記載の電圧調整モジュール電源システム。
【請求項１２】
前記制御回路は、第２の電圧識別を負荷から受取り、前記第２の電圧識別または前記第２の電圧識別の修正されたバージョンを、前記第１の電圧識別として前記電圧調整モジュール電源に与えるようにさらに適合される、請求項１０に記載の電圧調整モジュール電源システム。
【請求項１３】
マージニングおよび／またはトリミング機能は前記制御信号を介して制御される、請求項１０に記載の電圧調整モジュール電源システム。
【請求項１４】
前記レジスタはカウンタ値を格納するようにさらに適合され、前記制御回路は前記電源電圧を監視し、前記監視に基づいて前記カウンタ値を調整する、請求項１０に記載の電圧調整モジュール電源システム。
【請求項１５】
前記制御回路は目標値を格納するように適合される少なくとも１つのレジスタをさらに含み、前記第１の電圧識別の前記値は前記目標値に基づく、請求項１０に記載の電圧調整モジュール電源システム。
【請求項１６】
電圧調整モジュール電源からの電源電圧の電圧レベルを制御する方法であって、
負荷によって与えられ、前記電圧調整モジュール電源からの前記電源電圧の前記電圧レベルを設定するように意図される第１の電圧識別を遮るステップと、
所望であれば、格納された値と前記第１の電圧識別を合計することによって、前記第１
の電圧識別の値を修正するステップと、
前記電圧調整モジュール電源の前記電源電圧の前記電圧レベルを設定するために前記第１の電圧識別を与えるステップとを含む、方法。
【請求項１７】
前記修正するステップにおける前記第１の電圧識別の前記値は、マージン値またはトリム値に対応する、請求項１６に記載の方法。
【請求項１８】
第２の電圧識別を生成するステップと、
前記電圧調整モジュール電源のための前記電源電圧の前記電圧レベルを設定するために、前記第１の電圧識別ではなく前記第２の電圧識別を与えるステップとをさらに含む、請求項１６に記載の方法。
【請求項１９】
前記遮るステップ、前記修正するステップ、および前記与えるステップは、前記電圧調整モジュール電源内で発生する、請求項１６に記載の方法。
【国際調査報告】
2007516530.tif 000007